(57)【特許請求の範囲】
【請求項１】
上方からみて円弧状で、かつ前方からみて下半開口の半円弧状をなす、同一形状、同一大きさの複数板バネ２の各頂部を、リング状頂板３の下面へ等間隔に接続させ、上方からみて頂板３下方に各板バネが隠れる筒状となるよう、かつ下方に垂下する各板バネの下端部４間には間隙が介在する状態に、弾性変形し、かつ復元する合成樹脂により一体成形したことを特徴とする筒状板バネ部材。
【請求項２】
上記板バネ２下方に半円弧状補助バネ６を間隙をおいて配設し、補助バネ両端を外方へ屈曲して該屈曲部先端を板バネ２の両端部内面へ接続させ、補助バネを含めて全体を合成樹脂で一体成形したことを特徴とする請求項１記載の筒状板バネ部材。
【請求項３】
リング状底板12の内外両周縁から内筒13と外筒14とを起立すると共に、それ等両筒の間には展開図において左右両側に下降斜面15,15 を有する山形でかつ頂部から前記内筒13と同一高さに至る棒部16を起立する複数の山形突部17を適当間隔を介して起立する合成樹脂製の受部材11を設けて、該受部材に対応する大きさに設けた請求項１又は２記載の筒状板バネ部材１の下部を上記内外両筒の間隙内へ嵌合させて各板バネ２下端を、各山形突部17間において隣合う斜面15,15 の上端部へそれぞれ係合させ、上記筒状板バネ部材押下げにより各板バネ下端が斜面15,15 に沿って下降可能に形成したことを特徴とする圧縮バネ装置。
【発明の詳細な説明】
【０００１】
【発明の属する技術分野】
本発明は合成樹脂材で成形した筒状板バネ部材および圧縮バネ装置に関する。
【０００２】
【従来の技術】
コイルバネや板バネが従来周知のバネ部材として用いられている。
【０００３】
【発明が解決しようとする課題】
近時合成樹脂製の縦型ポンプ容器とか、トリガー式の液体噴出容器が多用されており、このような容器に用いるバネ部材は、発錆等の関係から金属製のバネ部材よりも合成樹脂製のバネ部材を使用することが望まれる。
【０００４】
しかし合成樹脂製のバネ部材は金属製に比べて発錆しない、軽量である、成形が容易である、等の利点を有するものの、弾揆力において劣るため、金属製のバネ部材に到底及ぶものではなく、よって極く特殊な場合に限って用いられるに過ぎなかった。
【０００５】
本発明は特殊な用途に用いるバネ部材ではあるものの、合成樹脂製バネ部材の長所を生かして、しかも充分な弾揆力が得られるよう設けた筒状板バネ部材および圧縮バネ装置に関するものである。
【０００６】
【課題を解決するための手段】
第１の手段として上方からみて円弧状で、かつ前方からみて下半開口の半円弧状をなす、同一形状、同一大きさの複数板バネ２の各項部を、リング状頂板３の下面へほぼ等間隔に接続させ、上方からみて頂板３下方に各板バネがほぼ隠れる筒状となるよう、かつ下方に垂下する各板バネの下端部４間には小間隙が介在する状態に、弾性に富む合成樹脂により一体成形した。
【０００７】
第２の手段として、上記第１の手段を有すると共に上記板バネ２下方に半円弧状補助バネ６を小間隙をおいて配設し、補助バネ両端を外方へ屈曲して該屈曲部先端を板バネ２の両端部内面へ接続させ、補助バネを含めて全体を合成樹脂で一体成形した。
【０００８】
第３の手段として、リング状底板12の内外両周縁から内筒13と外筒14とを起立すると共に、それ等両筒の間には展開図において左右両側に下降斜面15,15 を有する山形でかつ頂部から小棒部16を起立する複数の山形突部17を適当間隔を介して起立する合成樹脂製の受部材11を設けて、
該受部材に対応する大きさに設けた請求項１又は２記載の筒状板バネ部材１の下部を上記内外両筒の間隙内へ嵌合させて各板バネ２下端を、各山形突部17間において隣合う斜面15,15 の上端部へそれぞれ係合させ、
上記筒状板バネ部材押下げにより各板バネ下端が斜面15,15 に沿って下降可能に形成した。
【０００９】
【発明の実施の形態】
まず筒状板バネ部材１について説明すると、該部材は、上方からみて円弧状で、かつ前方からみて下半開口の半円弧状をなす、同一形状、同一大きさの複数板バネ２を有し、その各板バネ中間が形成する頂部を、リング状とした頂板３の下面へほぼ等間隔に接続させている。各板バネ２は、上方からみて頂板３下方へほぼ隠れる筒状をなすよう、かつ下方に垂下する各板バネの下端部４間には小間隙５が介在するよう設け、その全体を弾性に富む合成樹脂により一体成形したものである。
【００１０】
該筒状板バネ部材は図示のように各板バネ２下方に小間隙をおいて半円弧状の補助バネ６を配設してもよい。
【００１１】
この場合は補助バネ両端を外方へ屈曲させて該屈曲部７，７先端を板バネ２の両端部内面へ接続させる。該補助バネ付きの場合も筒状板バネ部材全体を弾性に富む合成樹脂材で一体成形する。
【００１２】
板バネ２下端は図示のようにやや下外方へ突出させて係合突部とすることが望ましい。
【００１３】
次に圧縮バネ装置について説明すると、該装置は上記の筒状板バネ部材１と該部材を嵌合させる合成樹脂製の受部材11とで形成する。
【００１４】
受部材11は、既述筒状板バネ部材のリング状頂板３とほぼ同径のリング状底板12を有し、該底板の内外両周縁から内筒13と外筒14とを起立し、又それ等両筒の間には図６、図７が最も明確に示すように展開図において左右両側に下降斜面15,15 を有する山形でかつ頂部から小棒部16を起立する複数の山形突部17を適当間隔を介して起立する。その山形突部は内筒又は外筒と接続させて形成してもよい。山形突部17と内筒13とはほぼ同一高さとすることで小棒部16の上端部が受部材上面から突出して損傷すること、又その小棒部上端が手等を傷つけることを防止しており、外筒14は山形突部よりも僅かに低く形成している。
【００１５】
山形突部17の数は既述板バネ２の数と同数であり、又山形突部の高さは板バネ２の高さとほぼ等しく、小棒部16と小棒部との間隙は板バネ両下端部の外面間の間隙とほぼ等しくして、図６が示すように、筒状板バネ部材１の下部を内外両筒の間隙上部内へ、各板バネ下端を、各山形突部間において隣合う斜面15,15 の上端部へそれぞれ係合させた状態で嵌合できるよう設けている。
【００１６】
各斜面の上端部は傾斜面を少なくして板バネ下端の係合が容易かつ確実となるよう設けている。
【００１７】
図４と図６とが示す上記状態から筒状板バネ部材１を受部材11に対して押下げすると、筒状板バネ部材１の下降に従って板バネ両下端部が山形突部17の斜面15,15 に沿って下降し、その下端部間隔を狭めることから図５と図７とが示すよう更に板バネは弾性に抗し弯曲して曲率半径を狭める。又リング状頂板３を離すと、各板バネ２は弾性復元するため各板バネ下端は斜面15,15 を上昇し、図４、図６が示す元の位置まで上昇することとなる。
【００１８】
上記受部材11は、独立した部材である必要はなく、例えば図８、図９が示すように他部材の一部として形成することも可能である。
【００１９】
図８は液体噴出容器用縦形ポンプ21の装着筒22の一部として形成した例を示す。尚ポンプは公知であるから簡単に説明すると、23は吸込み弁24付きのシリンダ、25はそのシリンダ内から起立する吐出弁26付きの作動部材で、ステム上端にノズル27付き押下げヘッド28を有し、その作動部材の上下動で容器体内液体をシリンダ内へ吸上げ、かつ該シリンダ内液体をノズルから噴出するよう設けている。この場合受部材11のリング状底板を装着筒頂壁の一部で形成して筒状板バネ部材１で上記押下げヘッド28を上方付勢させている。
【００２０】
図９は底壁32上昇式の液体吐出容器31に圧縮バネ装置を用いた例を示す。該図示例にあっては受部材11の内筒13を長く設けてシリンダ23の外面へ嵌合させると共に、内筒上端を内方へ折返して該折返し部をシリンダの上端部内面へ嵌合させ、又その受部材11上部内から起立する筒状板バネ部材１のリング状頂板３で押下げヘッド28頂壁の下面を支持させて、該押下げヘッド付き作動部材を上方付勢させている。尚24は吸込み弁、26は吐出弁、28はノズル27付きの押下げヘッドで、該ヘッドを介して作動部材25を上下動させることで、容器体内液体が吸上げられ、該吸上げによる容器体内負圧化を底壁32の上昇によって解消する。該容器も公知であるから詳しい説明は省略する。
【００２１】
【発明の効果】
請求項１記載の発明は、既述構成としたから、合成樹脂製であるに拘らず複数の板バネ２が同時に弾性変形され、かつ弾性復元することとなって強い反揆力を得ることが出来、又頂板３下面へ複数の半円弧状板バネ２を付設するだけであるから構造が簡易であり、廉価に製作することが出来る。
【００２２】
請求項２の場合のように、板バネ２下方に補助バネ６を付設することでバネ機能を更に高めることが出来る。
【００２３】
請求項３のように形成することで、各板バネ２の両端が山形突部17の斜面15,15 から外れることを、内外筒が阻止することとなり、受部材11に対する筒状板バネ部材１の上下動を確実とすることが出来る。
【図面の簡単な説明】
【図１】  筒状板バネ部材の正面図である。
【図２】  圧縮バネ装置を構成する受部材の平面図である。
【図３】  一部を切欠いて示す、上記受部材の正面図である。
【図４】  一部切欠いて示す、圧縮バネ装置の正面図である。
【図５】  筒状板バネ部材を押下げて示す一部切欠いた圧縮バネ装置の正面図である。
【図６】  図４の展開図である。
【図７】  図５の展開図である。
【図８】  圧縮バネ装置を応用した縦形液体ポンプの断面図である。
【図９】  圧縮バネ装置を応用した底板上昇形液体注出容器の断面図である。
【符号の説明】
１…筒状板バネ部材        ２…板バネ
３…頂板                  ６…補助バネ
11…受部材                12…底板
13…内筒                  14…外筒
15…斜面                  17…山形突部
【図１】
0003712887.tif 000002
【図２】
0003712887.tif 000003
【図３】
0003712887.tif 000004
【図４】
0003712887.tif 000005
【図５】
0003712887.tif 000006
【図６】
0003712887.tif 000007
【図７】
0003712887.tif 000008
【図８】
0003712887.tif 000009
【図９】
0003712887.tif 000010